(57)【要約】【課題】リアリティキャラクター像プリントハンガーに関し、特に人気のあるキャラクターであって、肖像権使用の許諾が得られている等身大のリアリティキャラクター像をシートや空気入りビニールに印刷し、使用者が楽しく衣服の整理をすることができるリアリティキャラクター像プリントハンガーを提供する。【解決手段】肖像権使用の許諾が得られている等身大のリアリティキャラクター像をシートの印刷面に印刷してハンガー本体１を形成し、等身大のリアリティキャラクター像の形状の頂部にフック４を取り付けたことを特徴とし、シート２が折り畳み自在または巻き込み自在であることを特徴とし、更に肖像権使用の許諾が得られている等身大のリアリティキャラクター像を空気入りビニール５に印刷し、該等身大のリアリティキャラクター像の立体形状の頂部にフック４を取り付けたことを特徴としするものである。【選択図】図１
2004097765.tif 000002
【特許請求の範囲】
【請求項１】
肖像権使用の許諾が得られている等身大のリアリティキャラクター像をシートの印刷面に印刷し、該等身大のリアリティキャラクター像の形状の頂部にフックを取り付けたことを特徴とするリアリティキャラクター像プリントハンガー。
【請求項２】
シートが折り畳み自在または巻き込み自在であることを特徴とする請求項１のリアリティキャラクター像プリントハンガー。
【請求項３】
肖像権使用の許諾が得られている等身大のリアリティキャラクター像を空気入りビニールに印刷し、該等身大のリアリティキャラクター像の立体形状の頂部にフックを取り付けたことを特徴とするリアリティキャラクター像プリントハンガー。
【請求項４】
フックが等身大のリアリティキャラクター像の立体形状の肩部に収納された芯材と連結されていることを特徴とする請求項３のリアリティキャラクター像プリントハンガー。
【請求項５】
印刷されている肖像権使用の許諾が得られている等身大のリアリティキャラクター像は、使用者の好みに合わせて複数枚用意されたものから選択できるように構成したことを特徴とする請求項１乃至請求項３のリアリティキャラクター像プリントハンガー。
【請求項６】
印刷されている肖像権使用の許諾が得られている等身大のリアリティキャラクター像の装身具が着脱自在のシートからなることを特徴とする請求項１乃至請求項３のリアリティキャラクター像プリントハンガー。
【発明の詳細な説明】
【０００１】
【発明の属する技術分野】
本発明は、リアリティキャラクター像プリントハンガーに関し、特に人気のあるキャラクターであって、肖像権使用の許諾が得られている等身大のリアリティキャラクター像をシートや空気入りビニールに印刷し、使用者が楽しく衣服の整理をすることができるリアリティキャラクター像プリントハンガーである。
【０００２】
【従来の技術】
従来、人物の胸像や動物の全体像を取り付けたハンガーが考案されているが、その人物の胸像や動物の全体像はリアリティに欠けるものであり、使用する者にとって特別な感慨のある画像を選択して使用するような機能を有するものではなかった。
【０００３】
【発明が解決しようとする課題】
本発明のリアリティキャラクター像プリントハンガーは、使用者の好みに合わせて肖像権使用の許諾が得られている等身大のリアリティキャラクター像を印刷したハンガーであって、使用する者にとって特別な感慨のある画像を選択して使用するような機能とし、極めてリアリティに富んだ画像を使用者が選択し、楽しく衣服の整理をすることができるハンガーを提供することができる。
【０００４】
【課題を解決するための手段】
本発明のリアリティキャラクター像プリントハンガーは、前記せる課題を解決する為に鋭意研究された結果、本発明に至ったものであり、使用者の好みに合わせて等身大の肖像権使用の許諾が得られている等身大のリアリティキャラクター像が印刷されているので、使用する者にとって特別な感慨のある画像を選択して使用するような機能を有しているので、極めてリアリティに富んだ画像を使用者が選択して使用できるものであり、楽しく衣服の整理をすることができるものであり、肖像権使用の許諾が得られている等身大のリアリティキャラクター像をシート２の印刷面３に印刷してハンガー本体１が形成されており、該等身大のリアリティキャラクター像の形状の頂部にフック４を取り付けたことを特徴とし、シート２が折り畳み自在または巻き込み自在であることを特徴とし、肖像権使用の許諾が得られている等身大のリアリティキャラクター像を空気入りビニール５に印刷し、該等身大のリアリティキャラクター像の立体形状の頂部にフック４を取り付けたことを特徴とし、フックが等身大のリアリティキャラクター像の立体形状の肩部に収納された芯材６と連結されていることを特徴とし、印刷されている肖像権使用の許諾が得られている等身大のリアリティキャラクター像は、使用者の好みに合わせて複数枚用意されたものから選択できるように構成したことを特徴とし、且つ、印刷されている肖像権使用の許諾が得られている等身大のリアリティキャラクター像の装身具が着脱自在のシートからなることを特徴とするリアリティキャラクター像プリントハンガーである。
【０００５】
【発明の実施の形態】
以下、図面に示す実施の形態により本発明を詳細に説明する。
図面に於て、図１は本発明のリアリティキャラクター像プリントハンガーの正面図である。図２は図１の側面図である。図３は本発明のリアリティキャラクター像プリントハンガーに衣服を掛けた状態の正面図である。図４は本発明のリアリティキャラクター像プリントハンガーを折り畳んだ状態の斜視図である。図５は本発明のリアリティキャラクター像プリントハンガーを巻き込んだ状態の斜視図である。図６は本発明のリアリティキャラクター像プリントハンガーの他の実施例を示す斜視図である。
【０００６】
図１乃至図２に示すように、肖像権使用の許諾が得られている等身大のリアリティキャラクター像をシート２の印刷面３に印刷してハンガー本体１が形成されており、該等身大のリアリティキャラクター像の形状の頂部にフック４が取り付けられている。シート２は厚紙やプラスチックシートであってもよい。
【０００７】
また、図３に示すように、ハンガー本体１に、衣服７、８を同時に掛けることができ、また衣服７、８を別々に掛けることもできる。更に、ハンガー本体１を持ち運びする場合は図４乃至図５に示すようにハンガー本体１を折り畳みまたは巻き込んで使用することができ、衣服７、８を掛けた状態のまま、図４乃至図５に示すように使用することも可能である。
【０００８】
また、図６に示すように、本発明では肖像権使用の許諾が得られている等身大のリアリティキャラクター像を空気入りビニール５に印刷し、該等身大のリアリティキャラクター像の立体形状の頂部にフック４を取り付けたもので、立体的なリアリティキャラクター像プリントハンガーを提供することもできる。
【０００９】
この場合では、フック４が等身大のリアリティキャラクター像の立体形状の肩部に収納された芯材６と連結されており、衣服７を図６に示すようにハンガー１１に掛けることができる。
【００１０】
印刷されている肖像権使用の許諾が得られている等身大のリアリティキャラクター像は、使用者の好みに合わせて複数枚用意されたものから選択できるように構成し、使用者の好みによって選択的に使用することができる。
【００１１】
また、印刷されている肖像権使用の許諾が得られている等身大のリアリティキャラクター像の装身具を着脱自在のシートで構成し、使用者の要望に応じてこれを着脱して使用することも可能である。
【００１２】
【発明の効果】
本発明は以上説明したような構成であるので、使用者の好みに合わせて等身大の肖像権使用の許諾が得られている等身大のリアリティキャラクター像が印刷されたハンガー本体１またはハンガー本体１１を、使用する者にとって特別な感慨のある画像を選択して使用するような機能を有しているので、極めてリアリティに富んだ画像を使用者が選択して使用できるものであり、楽しく衣服の整理をすることができるものである。
【図面の簡単な説明】
【図１】本発明のリアリティキャラクター像プリントハンガーの正面図である。
【図２】図１の側面図である。
【図３】本発明のリアリティキャラクター像プリントハンガーに衣服を掛けた状態の正面図である。
【図４】本発明のリアリティキャラクター像プリントハンガーを折り畳んだ状態の斜視図である。
【図５】本発明のリアリティキャラクター像プリントハンガーを巻き込んだ状態の斜視図である。
【図６】本発明のリアリティキャラクター像プリントハンガーの他の実施例を示す斜視図である。
【符号の説明】
１．ハンガー本体
１１．ハンガー本体
２．シート
３．印刷面
４．フック
５．空気入りビニール
６．芯材
７．衣服
８．衣服
【図１】
2004097765.tif 000003
【図２】
2004097765.tif 000004
【図３】
2004097765.tif 000005
【図４】
2004097765.tif 000006
【図５】
2004097765.tif 000007
【図６】
2004097765.tif 000008